(57)【要約】      （修正有）【課題】不動産の有効活用、広告敷設場所の調査の難しさ、周辺状況を含めて動的に情報を提供する事、かねてより問題のある違法屋外広告物を減らす事により、屋外広告の広告敷設可能場所の絶対数不足解消と同時に、違法広告物を敷設する企業を減らし、街の美観維持にも貢献する。【解決手段】任意の通信手段と情報の基点となる看板型入力補助装置を用いて、屋外広告等が設置可能な場所の空き状況や周辺の施設情報の提供等を行う為のデータベースと広告設置場所の提供主とのマッチングを図る情報処理手段の情報提供装置において、各利用者の入力を検出する手段と記憶する手段を備え、各利用者のデータベースを構築し、その要望・入力内容に応じ各利用者のニーズに合わせた情報を配信する。【選択図】図１
0003124771.tif 000002
【実用新案登録請求の範囲】
【請求項１】
任意の通信手段（携帯電話、インターネット、ＦＡＸ、ＩＴビジョン〔インターテキスト方式〕、デジタルテレビ等、双方向通信が可能な総ての通信システム  以下：通信手段）と看板型入力補助装置（以下：広告ベースプレート）を用い、その敷設地を基点とし、屋外広告等が設置可能な場所（以下：広告設置場所）の空き状況や周辺の施設情報の提供等を行う為のデータベースと広告設置場所の提供主とのマッチングを図る情報処理手段の情報提供装置において、各利用者の入力を検出する手段と記憶する手段を備え、各利用者（空き情報や施設情報を欲する者及び広告設置場所提供主の双方  以下：各利用者）のデータベースを構築し、その要望・入力内容に応じ各利用者のニーズに合わせた情報を配信する事を特徴とする情報配信システム。
【請求項２】
広告設置場所の空き状況や周辺の施設情報の提供等を行う為のデータベースと、広告設置場所の提供主とのマッチングを図る情報処理手段の情報提供を可能とするプログラムを記録したコンピューターの読み取り可能な記録媒体において、広告ベースプレートを元に、各利用者の入力状況を検出する手段と記憶する手段を備え、各利用者のデータベースを構築し、その要望・内容に応じ各利用者のニーズに合わせた情報のマッチング処理を行い、その処理された情報を見ることにより、広告設置場所提供主（貸主）の広告募集（広告敷設者の集客）を簡便にする事を特徴とする情報配信システム。
【考案の詳細な説明】
【考案の詳細な説明】
【技術分野】
【０００１】本発明は、任意の通信手段を用いて行う情報処理システムにおいて、広告や告知、宣伝活動等を行うオンライン広告手段や単独で稼動するコンピューターやプログラムが動作可能な家庭用ゲーム機、情報処理が可能な携帯電話等、プログラムが動作可能な総ての機器に応用され、広告を行う為の屋外広告物や広告方法及び、情報処理プログラムの情報処理を実行させる事が出来るプログラムを記録したコンピューターの読み取り可能な記録媒体とシステムに関するものである。
【背景技術】
【０００２】従来、広告を出したい者（以下：広告敷設者）は広告敷設場所を探し敷設する際、既存の野立て看板（交差点や主要ロードサイドに骨組みを作り広告を敷設する物）や電柱広告、もしくは、電柱広告等、広告敷設スペースは限られていた。  もしくは広告敷設者が直接貸主を特定し交渉しなければならず、左記の点から広告敷設者は、広告敷設に苦労を強いられ、思うとおりの広告の場所を見つけ、敷設する事が難しい状況である。【０００３】一方、土地や建物を所有し、その付加価値を高めようという貸主は、従来の不動産の仲介業者を通し物件その物を取引する以外に、収益性の確保が難しい状況である。【０００４】不動産仲介業者としても、広告展開で新たな事業に乗り出す事は広告敷設の為のノウハウも無く、また初期投資も掛かる為、全く手がつけられておらず貸主の資産価値の有効利用の点からも非常に残念な事である。仮に、広告敷設者を集客し、広告代理業を始める為には、新たな販路開拓を行わなければならず、容易に行う事は難しい。【０００５】従来の野立て看板を取り扱う広告代理行業者は、主要交差点に骨組みを設置、電話での問い合わせでの敷設といった営業手法が一般的であり、設置場所と様々なコストのバランスから、収益性の高い場所以外は有効活用なされていない状況である。【０００６】また、従来手法は、空いているその場所の状況しか把握できず、広告設置主はその周辺状況を把握する事ができず、その調査にも手間を取られる結果となり、ニーズの取りこぼしが多々ある。広告敷設を行いたい企業や個人事業者は設置場所が無い為に、電柱やガードレールなどに違法広告物を敷設し街の美観を損ねるという悪循環も招いている。
【考案の開示】
【考案が解決しようとする課題】
【０００７】従来のシステムでは難しかった、不動産の有効活用、広告敷設を簡便に行える様に促し、広告物の内容に留まらず、その周辺状況を含めて動的に情報を提供する事と同時に、かねてより問題のある違法屋外広告物を減らす事を目的とする。上記の事により、屋外広告の広告敷設可能場所の絶対数不足への解決を図る事により、違法広告物を敷設する企業を減らし、街の美観維持にも貢献する発明である。【０００８】上記課題を大まかに纏めると、▲１▼広告設置者は広告設置場所を探す際に現地調査に膨大な手間隙が掛かる。▲２▼貸主は、広告設置関するノウハウを持っておらず、また広告敷設者を自身で探す事は非常に難しい状況である。▲３▼不動産仲介業者も同様に広告設置に関するノウハウが無く、一社で募集を掛けてもコストの兼ね合いから収益性を望む事は難しい。▲４▼野立て看板を取り扱う広告代理行業者は、主要交差点以外に広告設置枠を用意しない（コストの兼ね合い）為、不動産の有効活用なされない。▲５▼屋外広告設置場所の絶対数不足。▲６▼従来は、広告募集拠点（その場所のみ）の情報しか分からなかった。【０００９】本発明は、上記のような課題を解決するため発明されたものであって、それぞれの情報を纏め、広告募集地を中心とし広告募集看板から、その場所の広告空き情報や周辺状況をリンクさせる事により貸主・広告敷設者・不動産仲介者が効率よく仕事を行う事が出来るよう考えられたものである。このように広告敷設者と貸主側の橋渡しを可能とする事により着実な広告を可能とする情報システムを普及させる事を目的としたものである。
【課題を解決するための手段】
【００１０】上記課題を解決するために、請求項１に記載の発明では、任意の通信手段と既存の場所に設置された広告ベースプレートを用い、敷設地を基点とし、広告設置場所の空き状況や周辺の施設情報の提供等を行う為のデータベースと広告設置場所の提供主とのマッチングを図る情報処理手段の情報提供装置を用い、各利用者の入力を検出する手段と記憶する手段を備え、各利用者のデータベースを構築、入力内容を元にマッチング処理し、簡便に情報を探し出せるようにする事により課題の解決を可能とする。【００１１】請求項２に記載の発明では、広告設置場所の空き状況や周辺の施設情報の提供等を行う為のデータベースと、広告設置場所の提供主とのマッチングを図る情報処理手段の情報提供を可能とするプログラムを記録したコンピューターの読み取り可能な記録媒体において、各利用者の入力状況を検出する手段と記憶する手段を備え、各利用者のデータベースを構築し、その要望・内容に応じ各利用者のニーズに合わせた情報のマッチング処理を行い、その処理された情報を見ることにより、広告設置場所提供主（貸主）の広告募集（広告設置主の集客）を簡便にする事により課題の解決を可能とする。【００１２】次に、具体的な動作例を、フロー図を用いて説明する。（図１）は、広告敷設の可能性のある場所にあらかじめ設置されたパネルを元に、任意の通信手段を用いてあらかじめ用意されたデータベースにアクセス。入力内容を元に位置情報とデータ（空きの有無や周辺状況）を比較。その内容に従い問合せ者の端末にフィードバックし表示を行う。流れは非常に単純であるが、ロードサイド上にデータベースへのアクセスを行い易くする為の補助機能を持たせる事により広く告知が可能となる。その事により各利用者は簡便に状況の問い合わせが可能となる。
【考案の実施するための最良の形態】
【００１３】以下、本発明の実施の形態について、図面を参照して説明する。ここでは、本発明の実施の形態を説明するために、ロードサイド上の駐車場壁面に設置された広告敷設可能な場所を例にして説明する。
【実施例１】
【００１４】図２は、本発明による広告装置の基本構成を表わす概要図である。本実施形態の広告装置は、ロードサイド上の駐車場壁面や建物壁面、フェンス等にある「広告敷設の可能性がある地域の表示物（入力補助に用いる物）」（以下：広告ベースプレート）を元にその周辺状況を簡便に伝えるサービスを提供するものであり、このサービスを利用する利用者の入力補助部を『入力補助』Ａ‘１１０とし、利用者の入力端末を『利用者入力端末』Ａ１００とし、Ａ１００からの入力状態を判別する制御手段を『入力判別制御手段』Ｂ２００とし、Ｂ２００よりの制御状況を記録しデータベース化する記憶制御手段を『記憶制御手段』Ｃ３００とし、広告ベースプレートの詳細及び周辺状況等を記録保存する記録制御手段を『表示データ記録手段』Ｄ４００とし、Ｂ２００とＣ３００によって判別されたデータを元にあらかじめ用意されたＤ４００よりのデータを組み合わせて表示内容を指示するデータ表示制御手段を『データ表示制御手段』Ｅ５００とし、利用者端末のＡ１００の表示部を『利用者端末表示部』Ｆ６００とで構成される。各制御状態等、必要に応じネットワークに繋げるための手段を有し、オンラインサービスを可能とするものである。【００１５】図３は、本実施形態の処理内容を説明するためのフローチャートである。
【実施形態２】
【００１６】次に、実施形態２として、本発明の広告方法を用いたプログラムを記録したコンピューターの読み取り可能な記録媒体及びプログラムデータ、広告データ等を提供する手段において、実施形態を以下に説明する。
【００１７】この形態は先に記した実施形態の広告装置及び広告方法を実施するために必要なコンピュータープログラムや各種データを記録保持した記憶媒体として提供（記録媒体は、今後さまざまなものが考えられるが、一時的にもしくは普遍的な形で情報の保持が出来、尚且つその広告方法を実施する装置が読み取り実行が可能であればメディアの種類は問う必要は無い）、もしくは広告方法を実施する装置において一時的に通信可能な状態にし、そのソフトウェア−としてダウンロードを行い、そのソフトウェア−を実行する事により、広告募集を実施する事を容易に行う事を可能とする。
【００１８】上記の実施形態２の手段は、広告装置の仕組みと使用データを予め記録しておき、プログラミングにより実現可能とする事により、任意の通信手段を持たずとも、プログラムの情報処理可能な装置単体での動作も十分可能となる。
【００１９】このシステムを用いる事により、各利用者のニーズに答えた情報提供が可能となる。各利用者の欲するサービスの充実化をはかれば、今までには考えられなかったほどの広告効果を得る事が可能となる。
【産業上の利用可能性】
【００２０】上記に説明したように、本発明によれば、各利用者が、本システムを利用する際に行う情報配信を、各利用者のニーズに合わせる事により、各利用者の利便性を高めることが可能となる。従来、ロードサイド上の主要交差点以外では壁面等の有効利用も行われず、資産の有効活用が十分に行う事が出来ていなかった。壁面のニーズを掘り起こしやすくシステムを構築する事により各利用者に大きなメリットを与える事が可能となる。また、広告ベースプレートを基点とし、情報配信（例えば災害時には通常配信情報と共に災害情報や避難経路の表示を通信端末上に表示をさせ、避難経路表示の代替が可能）を行い、公共の用に利用価値を見出すことが可能となる。【００２１】広告敷設者側の場合、上記の事柄から予め、広告ベースプレートを基点とし、広告設置可能場所を容易に知る事が出来る為、従来の様に、ローラー調査で調べる苦労から開放される為、簡便に情報収集が可能となる。【００２２】貸主及び不動産仲介業者側の場合、上記の事柄から情報配信を簡便に行う事ができ、また情報の変更、更新については、従来のように看板内容を書き換える手間も要らず、データベース側への反映のみで済む事から容易に変更可能であり、即時性が高く精度の高い情報が配信可能である。【００２３】この事からこの広告方法及び広告装置は、これを利用する各利用者と広告敷設者・貸主・不動産仲介業者の掛け橋となり非常に高いメリットを与える事を可能とする。【００２４】請求項１に記載の発明によれば、広告設置者は今までのように敷設予定地を探し出す手間も省け、仮にそこに希望する情報や条件が見つからずとも、広告ベースプレートを基点とし、周辺状況を知る事が近隣で類似情報があれば、それを第二、第三の候補として考える事ができる為、一つ一つを探し出す手間が減り、非常に簡便である。貸主及び不動産仲介業者は、設置ノウハウを気にせず、自動にリンクされた情報が広告ベースプレートを基準として集まるわけであるから、類似の場所を提供で気安くなり、広告設置者のニーズを取りこぼしにくくなる為、従来の広告方法及び広告装置に比べ、非常に高い広告効果を得る事を可能となり、結果、双方が納得できる広告方法及び広告装置を提供できる。【００２５】請求項２に記載の発明によれば、請求項１に記載のシステムを、プログラム化した読み取り可能な記録媒体に落とし込み、それを所定のコンピューター等にインストールする事により、一時的に通信できない状況であったとしても、広告設置者の情報を端末内に溜めて置き、比較が容易に出来、その情報を元に、通信可能な時に、最新の情報と照らし合わせ、比較検討が行える為、従来の広告方法及び広告装置に比べ、非常に簡便な使い勝手を実現する事を可能とし、結果、広告主及び各利用者の双方が納得できる広告装置を提供できる。
【図面の簡単な説明】
【図１】本発明による、利用者表示端末の表示部を示したフロー図である。
【図２】実施形態１の広告方法及び広告装置の基本構成を示した構成図である。
【符号の説明】
Ａ１００            利用者入力端末
Ａ‘１１０          入力補助装置
Ｂ２００            入出力判別制御手段
Ｃ３００            記憶制御手段
Ｄ４００            表示データ記憶手段
Ｅ５００            データ表示手順制御手段
Ｆ６００            利用者端末表示部
【図１】
0003124771.tif 000003
【図２】
0003124771.tif 000004